(57)【要約】【課題】訴求力の高い宣伝、広告を行え、また提示するディスプレイの交換が簡単で、さらには提示するディスプレイする内容も多種多様とすることができる自動販売機を提案する。【解決手段】前扉１０ａの前面パネル１１に商品の宣伝・広告をするための宣伝・広告手段が設けてある自動販売機１０において、前記宣伝・広告手段は、前記前面パネルに設けた凹部２０に嵌合する宣伝・広告装置３０Ａ〜３０Ｅであり、前記宣伝・広告装置が、宣伝・広告を提示する手法が互いに異なる複数の提示装置を含み、当該複数の提示装置のいずれかが前記凹部に着脱可能に嵌合されている。【選択図】図１
2013200782.tif 000002
【特許請求の範囲】
【請求項１】
前扉の前面パネルに商品の宣伝・広告をするための宣伝・広告手段が設けてある自動販売機において、
前記宣伝・広告手段は、前記前面パネルに設けた凹部に嵌合する宣伝・広告装置であり、
前記宣伝・広告装置が、宣伝・広告を提示する手法が互いに異なる複数の提示装置を含み、当該複数の提示装置のいずれかが前記凹部に着脱可能に嵌合されている、ことを特徴とする自動販売機。
【請求項２】
前記宣伝・広告装置は、商品の宣伝、広告するポスターを提示するポスター提示装置、宣伝、広告する商品のダミーを内部に提示するダミー提示装置、ユーザの注目を集めるように商品の宣伝、広告を提示するギミック提示装置、発光素子の配列により宣伝、広告する商品が目立つように提示する発光型提示装置、および宣伝、広告する商品の電気的画像を提示可能な画像提示装置から選択した、いずれかであることを特徴とする請求項１に記載の自動販売機。
【請求項３】
前記宣伝・広告装置は、その前面が前記前面パネルと表面が一致して平坦となるように形成してある、ことを特徴とする請求項１または２に記載の自動販売機。
【請求項４】
自動販売機本体に配置してある制御手段により前記ポスター提示装置、前記ダミー提示装置、前記ギミック提示装置、前記発光型提示装置、および前記画像提示装置を制御する、ことを特徴とする請求項２に記載の自動販売機。
【発明の詳細な説明】
【技術分野】
【０００１】
本発明は、前扉のスペースを有効活用し、ユーザに訴求力の高い商品の宣伝や広告を行えるように工夫した自動販売機に関する。
【背景技術】
【０００２】
ユーザに商品を訴求する目的で、従来から前扉下側の空きスペースにポスターなどを設置して商品の宣伝、広告する自動販売機があった。
このような宣伝、広告機能に着目して、その訴求効果をより高めるようにした改善した自動販売機として、例えば特許文献１によるものがある。特許文献１による自動販売機は、その前扉前面に四角い開口を設け、この開口に透明なパネルが嵌め込まれている。この透明パネルがドアに設けた窓のような形態としてある。そして、この窓の内側（自動販売機本体側）にディスプレイ用のケースが取付けられている。
このケース内に立体的な広告物やポスターなどのシート状の広告物を、切替えて展示できるようなディスプレイ装置に構成してある。このようなディスプレイ装置を備えることにより、ユーザに対して訴求力のある広告等を提示できる自動販売機としてある。
【先行技術文献】
【特許文献】
【０００３】
【特許文献１】特開２００６−２６０４４８号公報
【発明の概要】
【発明が解決しようとする課題】
【０００４】
特許文献１による自動販売機は、装置本体内に確保した空間に、上記のようなディスプレイ装置が配置されるので、奥行きがある立体的な広告表示なども可能として、従前の自動販売機よりも高い訴求力を発揮する。
しかしながら、この自動販売機は上記ディスプレイ装置のケース内の展示物を交換するときの作業が煩雑である。例えば商品ダミー（立体見本）からシート状のポスターに変更するときなどでは、前扉を開けてケースを外すこと、そして収容してあるダミーに替えて、ポスターに変更する作業が必要である。よって、一連の作業は大掛かりで手間が掛かり、自動販売機の管理者に負担となってしまう。
また、ケース内に展示する形態も立体型ダミーとシート状のポスター程度とに限られてしまうので、徐々に新鮮な感じが失われることも懸念される。
【０００５】
よって、本発明の目的は、自動販売機の前扉を有効活用して訴求力の高い宣伝、広告を行え、また提示するディスプレイの交換が簡単で、さらに、提示するディスプレイする内容も多種多様とすることができる自動販売機を提案することにある。
【課題を解決するための手段】
【０００６】
上記目的は、前扉の前面パネルに商品の宣伝・広告をするための宣伝・広告手段が設けてある自動販売機において、
前記宣伝・広告手段は、前記前面パネルに設けた凹部に嵌合する宣伝・広告装置であり、前記宣伝・広告装置が、宣伝・広告を提示する手法が互いに異なる複数の提示装置を含み、当該複数の提示装置のいずれかが前記凹部に着脱可能に嵌合されている、ことを特徴とする自動販売機により達成される。
【０００７】
そして、前記宣伝・広告装置は、商品の宣伝、広告するポスターを提示するポスター提示装置、宣伝、広告する商品のダミーを内部に提示するダミー提示装置、ユーザの注目を集めるように商品の宣伝、広告を提示するギミック提示装置、発光素子の配列により宣伝、広告する商品が目立つように提示する発光型提示装置、および宣伝、広告する商品の電気的画像を提示可能な画像提示装置から選択した、いずれかとすることができる。
【０００８】
そして、前記宣伝・広告装置は、その前面が前記前面パネルと表面が一致して平坦となるように形成してあるのが好ましい。
【０００９】
自動販売機本体に配置してある制御手段により前記ポスター提示装置、前記ダミー提示装置、前記ギミック提示装置、前記発光型提示装置、および前記画像提示装置を制御するようにしてもよい。
【発明の効果】
【００１０】
本発明によると、自動販売機の前面パネルに凹部を設けるという比較的簡易な変更であり、この凹部に宣伝・広告を提示する手法が互いに異なる複数の提示装置を適宜に交換して使用できる。これにより、簡単に任意の提示装置を適宜に交換して、常に訴求力の高い広告等を行える自動販売機を提供できる。
【図面の簡単な説明】
【００１１】
【図１】本発明を適用した実施形態となるたばこ自動販売機について示した図である。
【図２】図１の各提示装置と自動販売機本体との接続例を示したブロック図である。
【発明を実施するための形態】
【００１２】
以下、図面を参照して、本発明の実施形態を説明する。
図１は、本発明を適用した一実施形態となる、たばこ自動販売機１０について示した図である。
この自動販売機１０は従来の自動販売機と同様の基本構造を備えている。すなわち、自動販売機１０の前扉１０ａには前面パネル１１が設けてある。この前面パネル１１の内側には複数のシガレットの商品見本ＳＡを提示する展示部１２が設けてある。また、商品選択のための選択指示ボタン１３が、各商品見本ＳＡに応じた位置で前面パネル１１に設置してある。
【００１３】
そして、この自動販売機１０も従来のたばこ自動販売機と同様、商品払出口１４および金銭処理部１５を備えている。前記金銭処理部１５は、コイン投入口、紙幣投入口、釣り銭返却レバー等を備えて構成してある。また、図中１６は釣り銭返却口であり、また１７は電子情報入出力装置（リーダ・ライタ）や金額表示器等を備えて構成された成人識別装置である。
【００１４】
更に、上記自動販売機１０が備えている、本発明に係る新規な構成を説明する。
この自動販売機１０の前面パネル１１には、箱状の物体を受入れ可能に形成した凹部２０が設定してある。この凹部２０は、前側から嵌め込まれる色々な提示装置を受入れる凹状の空間（スペース）として設けられたものである。よって、この凹部２０には、宣伝、広告をするための種々の提示装置が、適宜に交換可能にセットされる。
上記凹部２０の設定位置は、いずれのユーザであっても、見易い高さ位置に設定するのがよい。例示では金額表示器等などを含む成人識別装置１７と同様の高さ位置に配置に設定してある。なお、凹部２０は、前面パネル１１の空きスペースを活用し、商品の収納能力は既存の内部構造に影響を与えない大きさ（容積）にて前面パネル１１に設けるのが好ましい。例えば凹部２０は例えば縦寸法（１８〜３０ｃｍ）、横寸法（１４〜６０ｃｍ）で、奥行寸法（４〜１０ｃｍ）である直方体空間などとする。そして、この凹部２０内にちょうど嵌合するような、種々の提示装置を予め準備し、任意のものを選択して採用する。
【００１５】
なお、上記凹部２０は、前面パネル１１に開口を設け、その開口から背部（後部）に向けて周壁部および後壁部を設けて、これら壁部によって囲まれた所定の空間（すなわち、自動販売機の本体内部と仕切り壁によって区切った空間）としておくのが好ましい。
【００１６】
図１では、上記凹部に嵌合される好適な、複数の提示装置を例示している。これについて以下順に説明する。
先ずポスター提示装置３０Ａは、新製品のたばこ（商品）などの宣伝、広告をするポスターを提示するものである。凹部２０にちょうど嵌合する箱体の前面全体に、樹脂、布、紙などのシート状材上に印刷などによる画像が形成してある。シート状材の背部に照明（図示せず）を更に配備し、必要により提示ポスターを明るくして、ユーザへの訴求力を更に高めるようにしてもよい。
【００１７】
ダミー提示装置３０Ｂは、宣伝、広告するたばこダミーを内部に提示するものである。このようなダミーは上記ポスターと同様に印刷した画像などでもよいし、立体的なダミーを内部の空間に配置して３次元で提示するものでもよい。このようなダミー提示装置３０Ｂは、展示部１２で配置している商品選択用の設ける商品見本よりも大きな巨大ダミーとすることができるので、ユーザへの訴求力を高めることができる。この場合も、ダミーを照射する照明（図示せず）を配備し、必要によりダミーを明るくしてユーザへの訴求力を更に高めるようにしてもよい。
【００１８】
発光型提示装置３０Ｃは、発光素子などを配列して中央に配置した商品ダミーやポスターを目立つように宣伝、広告するようにしたものである。例えば、ブラックホールなどと称され、多数のＬＥＤ（Light  Emitting  Diode：発光ダイオード）照明を配置して、深い穴の奥に商品ダミーなどが在るように提示してユーザへの訴求力を高めることができる。
【００１９】
画像提示装置３０Ｄは、液晶表示装置、有機ＬＥＤ装置あるいは電子ペーパなど電気的画像で宣伝、広告する商品の提示可能としたものである。従来において公知である液晶表示装置等を凹部２０に嵌合するように外形を変更して商品の宣伝、広告装置とすればよい。液晶表示装置等による画像提示装置３０Ｄは、多種多様の静止画像、動画を提示できるのでユーザへの訴求力を高めることができる。
【００２０】
ギミック提示装置３０Ｅは、ユーザの注目を集めるように商品の宣伝、広告を提示する。このような提示するギミックはたばこにユーザの注目が集まるものであれば、どのような形態でもよいが、例えば内部にモータを配置してたばこダミーが左右に動く形態などにする。更に、照明等を配備し、ダミーの動きに応じて発光させユーザへの訴求力を更に高めるようにしてもよい。
【００２１】
前述した提示装置３０Ａ〜３０Ｅのいずれについても、前面パネル１１の凹部２０に嵌合させたときに、その前面が前面パネル１１の表面と一致してフラットとなるようにしておくのが望ましい。このようにしておけば、自動販売機１０に異なる装置（提示装置３０Ａ〜３０Ｅ）を組み込んでも、表面の拭き取り掃除などを円滑に行うことができる。なお、ここでは図示しないが、各提示装置３０Ａ〜３０Ｅを凹部２０に嵌合させたとき、容易に脱落しないようにする位置決め構造を配備しておくのがよい。更に、この位置決め構造には、盗難防止用のロックなどを設けておくのがよい。
【００２２】
上述した提示装置３０Ａ〜３０Ｅは好適例示であり、他の提示形態での提示装置を採用しても勿論よい。本願発明は前述したような宣伝、広告が可能な提示装置を、前面パネル１１に形成した凹部２０に嵌合し、適宜に交換して使用できるので、ユーザへの訴求力を高めた自動販売機を提供できる。
【００２３】
ところで、上述した提示装置３０Ａ〜３０Ｅには、ＬＥＤなどの光源や液晶ディスプレイなどの電気的な表示装置、或いはモータなどの電動源が含まれている。ここで、それぞれの提示装置は、自動販売機本体と独立に駆動できるように形成してもよいが、自動販売機側にてコントロールするようにするのが好適である。
例えば、図２で示すように、提示装置３０Ａ〜３０Ｅ側に照明等の光源やモータ等の駆動を配置しておき、互いにインターフェース部を介して自動販売機本体に設置してあるコントローラ（制御手段）４０と電気的に接続する。
上記コントローラ４０は、ＣＰＵを中心に構成したマイクロコンピュータ等で自動販売機本体の制御用に配置されているものを流用すればよい。コントローラ４０はＣＰＵなどと共に、メモリ４１を備えている。このメモリ４１に提示装置３０Ａ〜３０Ｅを制御するためのプログラムやたばこに係る広告等の画像データなどを格納しておき、凹部２０に嵌合された提示装置３０Ａ〜３０Ｅのいずれかに応じて、必要なプログラムおよびデータを駆動して、宣伝・広告の提示をすればよい。
【００２４】
以上で説明した自動販売機は、前面パネルに凹部を設けるという比較的簡易な変更で済み、その凹部に宣伝・広告を提示する手法が互いに異なる複数の提示装置を適宜に交換して使用される。前面側から提示装置を交換するだけであるから交換は容易であり、提示装置は多種であるから適宜に交換して、常に訴求力の高い広告等を行える自動販売機とすることができる。
【００２５】
以上、本発明をたばこの自動販売機について適用する場合を詳細に説明したが、本発明は前述した実施例による説明で限定されない。すなわち、本発明はその要旨を逸脱しない範囲で種々変更して実施することができる。本発明が飲料やその他の商品を販売する自動販売機に適用できることは言うまでもない。
【符号の説明】
【００２６】
１０                    自動販売機
１０ａ                  前扉
１１                    前面パネル
２０                    凹部
３０                    宣伝・広告装置
３０Ａ                  ポスター提示装置
３０Ｂ                  ダミー提示装置
３０Ｃ                  発光型提示装置
３０Ｄ                  画像提示装置
３０Ｅ                  ギミック提示装置
４０                    コントローラ（制御手段）
ＳＡ                    商品見本
【図１】
2013200782.tif 000003
【図２】
2013200782.tif 000004